(57)【要約】【課題】浴槽の蓋体を格納したときに、蓋体を乾燥させることができ、また、蓋体を浴槽上に所望の量だけ展開することのできる、浴槽蓋装置を提案する。【解決手段】浴槽１１近傍に形成された蓋格納部１５に、浴槽１１の蓋体１２を格納する浴槽蓋装置１０において、蓋格納部１５に強制的換気機構としてモータ１７により駆動されるファン１６を設け、スイッチ３５によるＯＮ／ＯＦＦ手動切換操作、若しくは、格納されている蓋体１２の状態に応じてＯＮ／ＯＦＦ自動切換制御の、少なくともいずれか片方を可能とした。また、蓋体１２の引き出し側端部に磁石２１ａを設け、浴槽１１の周縁部に磁石２１ａに磁着可能な金属部材２０を埋設した。【選択図】図１
2005211447.tif 000002
【特許請求の範囲】
【請求項１】
浴槽近傍に形成された蓋格納部に、浴槽の蓋体を格納する浴槽蓋装置において、
蓋格納部に強制的換気機構を設けることを特徴とする特徴とする浴槽蓋装置。
【請求項２】
前記浴槽蓋装置において、
強制的換気機構として、モータにより駆動されるファンを設け、切換手段によるＯＮ／ＯＦＦ手動切換操作、若しくは、格納されている蓋体の状態に応じてＯＮ／ＯＦＦ自動切換制御の、少なくともいずれか片方を可能とする、請求項１に記載の浴槽蓋装置。
【請求項３】
浴槽近傍に形成された蓋格納部に、浴槽の蓋体を巻回した状態に格納する浴槽蓋装置において、
蓋体の引き出し側端部に磁石を設け、浴槽の周縁部に磁石に磁着可能な金属を埋設することを特徴とする浴槽蓋装置。
【請求項４】
前記浴槽蓋装置において、
蓋体を巻回するリールを蓋格納部に設けた軸に遊嵌し、
リールにラチェット機構を備えるとともに蓋体が格納される方向に付勢する、
請求項３に記載の浴槽蓋装置。
【発明の詳細な説明】
【技術分野】
【０００１】
本発明は、浴槽の蓋を体良く格納したり展開したりするための技術に関する。
【背景技術】
【０００２】
浴槽に張られた湯が冷めないように、浴槽を覆うための蓋体（風呂蓋）が存在する。蓋体は、折り畳み板型のものや、巻き取りシャッター型のものや、シート型のもの等が存在し、風呂に入るときには蓋体を浴槽の周囲に立てかけたり、吊したりしておく。しかし、蓋体は、入浴中に倒れてきたり、清掃時に邪魔になったりすることがあり、このため、蓋体を格納することのできる空間を設けて、不使用時の蓋体を格納できるようにするニーズがある。
【０００３】
そこで、従来、浴槽の蓋体を所定の位置に格納するための技術が提案されている。例えば特許文献１や特許文献２に記載の技術である。これらの文献では、浴槽の上開口部の側方に、浴槽の上開口部を閉塞するための蓋体を巻回した状態で格納するための空間（蓋格納部）を設け、この蓋格納部から引き出した蓋体により浴槽の上開口部を閉塞する装置が提案されている。特に、特許文献１では、蓋格納部が浴槽の周囲の壁に形成され、特許文献２では、蓋格納部が浴槽と一体的に形成されており、いずれも蓋格納部には蓋体に付着した水滴が垂れて溜まることを防止するために蓋格納部に排水路が設けられている。
【０００４】
【特許文献１】実開平６−２４５９２号公報
【特許文献２】特開２００１−１７８６４６号公報
【発明の開示】
【発明が解決しようとする課題】
【０００５】
巻き取りシャッター型の浴槽の蓋体を、蓋格納部に格納する場合、蓋体の水気が取れにくく、蓋体に付着した水気が原因となってカビが発生しやすい状況が発生する。
また、浴槽の蓋体は、浴槽の上部開口の半分を覆いたい場合があり、所望の量だけ蓋体を蓋格納部より引き出して浴槽上に展開し、固定させることのできる構造であることが好ましい。
そこで、本発明では、浴槽の蓋体を格納したときに、蓋体を乾燥させることができ、また、蓋体を浴槽上に所望の量だけ展開することのできる、浴槽蓋装置を提案する。
【課題を解決するための手段】
【０００６】
本発明の解決しようとする課題は以上の如くであり、次にこの課題を解決するための手段を説明する。
【０００７】
即ち、請求項１においては、浴槽近傍に形成された蓋格納部に、浴槽の蓋体を格納する浴槽蓋装置において、蓋格納部に強制的換気機構を設けるものである。
【０００８】
請求項２においては、前記浴槽蓋装置において、強制的換気機構として、モータにより駆動されるファンを設け、切換手段によるＯＮ／ＯＦＦ手動切換操作、若しくは、格納されている蓋体の状態に応じてＯＮ／ＯＦＦ自動切換制御の、少なくともいずれか片方を可能とするものである。
【０００９】
請求項３においては、浴槽近傍に形成された蓋格納部に、浴槽の蓋体を巻回した状態に格納する浴槽蓋装置において、蓋体の引き出し側端部に磁石を設け、浴槽の周縁部に磁石に磁着可能な金属を埋設するものである。
【００１０】
請求項４においては、前記浴槽蓋装置において、蓋体を巻回するリールを蓋格納部に設けた軸に遊嵌し、リールにラチェット機構を備えるとともに蓋体が格納される方向に付勢するものである。
【発明の効果】
【００１１】
本発明の効果として、以下に示すような効果を奏する。
【００１２】
請求項１においては、蓋体を乾燥させ、カビの発生を抑制することができる。
【００１３】
請求項２においては、状況に応じて強制換気機構を作動させることができる。
【００１４】
請求項３においては、浴槽の所望の位置まで展開した状態で蓋体を固定することができる。
【００１５】
請求項４においては、浴槽の所望の位置まで蓋体を展開して保持させることができる。
【発明を実施するための最良の形態】
【００１６】
次に、発明の実施の形態を説明する。
図１は本発明の実施例に係る浴槽蓋装置の構成を示す側面断面図、図２は浴槽蓋装置を備えた浴室の様子を示す図、図３は扉体の着脱構造を示す図、図４は強制的換気機構の構成を示すブロック図、図５は強制的換気機構の自動モードの制御を示す流れ図、図６は蓋格納部の内部構造を示す側面断面図である。
【００１７】
まず、本発明に係る浴槽蓋装置１０の構造について説明する。
図１及び図２に示す如く、浴槽１１を包囲する浴室の一壁面１３に、蓋格納部１５が形成されている。蓋格納部１５には、軸２２に巻回された状態の蓋体１２が格納されている。なお、本実施例に係る浴槽蓋装置１０においては、蓋格納部１５は浴室の壁面１３に埋め込まれた状態に形成されているが、蓋格納部１５の配置やその形態は本実施例に限定されるものではなく、例えば、浴槽蓋装置１０を既存の浴室に設ける際には、内部に蓋格納部１５を構成する箱体を浴槽１１近傍に設けることができる。
【００１８】
蓋格納部１５は、浴室側に開口した略方形状の空間であり、この空間の左右方向に軸２２が架設されている。
蓋格納部１５の浴室側の開口部には、扉体１４が設けられている。図３に示す如く、蓋格納部１５の開口部には、係止突起３０が形成されており、扉体１４の上辺に一体的に形成されたＣ字状の係合部１４ａが、係止突起３０に係合することにより、蓋格納部１５に扉体１４が着脱可能に取り付けられる。扉体１４を着脱可能とすることで、蓋体１２を取り出して蓋格納部１５や蓋体１２を掃除することが可能となる。
そして、蓋格納部１５の下部には、排水路１８が形成されている。この排水路１８は、蓋体１２から垂れ落ちる水滴を排水するために形成されており、排水路１８は、浴槽１１の排水口に接続された排水路１９に接続されている。但し、排水路１８は浴室に設けられたいずれの排水路に接続することもできる。
【００１９】
また、蓋格納部１５の上部には、強制的換気機構として、モータ１７で回転駆動されるファン１６が設けられている。ファン１６は蓋格納部１５の内部空間や蓋格納部１５に格納される蓋体１２の乾燥を目的として空気の循環を促すために設けられている。
図４に示す如く、モータ１７は、制御部３３によりその作動を制御されており、手動モードとして、蓋格納部１５の近傍に設けられた切換手段としてのスイッチ３５により、ＯＮ／ＯＦＦを手動切換操作したり、蓋格納部１５への蓋体１２の格納状態を検知することにより自動的にＯＮ／ＯＦＦ切換制御したりすることができる。
【００２０】
自動モードとするときには、蓋体１２を巻回している軸２２に設けられた検出手段３４にて、蓋体１２の軸２２への巻き取り量が検出される。蓋体１２の巻き取り量が、予め設定された所定量より多いときには、モータ１７を作動してファン１６を回転させ、蓋体１２を乾燥させるのである。なお、例えば、蓋体１２の約半分が軸２２に巻き取られ、残りの約半分が浴槽１１に展開されている状態であっても、ファン１６による蓋格納部１５の乾燥は必要であるので、蓋体１２の一部が巻き取られている状態でもファン１６を回転させるように、所定の巻き取り量が設定される。
【００２１】
そして、図５の流れ図に示す如く、自動モードにおいて制御部３３では、検出手段３４による信号を受信して、蓋体１２の巻き取り量が所定量以上となったことが検出されれば（Ｓ２１）、ファン１６を回転させるべくモータ１７を作動させ（Ｓ２２）、さらに、検出手段３４による信号を受信して、蓋体１２の巻き取り量が所定量以上とならなかったことが検出されれば（Ｓ２３）、ファン１６の回転を停止させるべくモータ１７を停止させる（Ｓ２４）ように制御される。
【００２２】
前記蓋体１２は、軸２２に巻き取ることのできる形状であり、シャッター式や、シート式のものを採用することができる。蓋体１２を構成する素材は、発水性を有するものを採用し、水がたまりにくい構造にすることが好ましい。蓋体１２は、所望の量だけを蓋格納部１５より引き出すことが可能である。
【００２３】
図６に示す如く、蓋体１２が巻回されている軸２２は、蓋格納部１５に固定されており、該軸２２に蓋体１２を巻き取るリール２４が遊嵌されている。リール２４はコイルスプリング３７により蓋体１２を巻き取る方向に回転するように付勢されている。また、リール２４の側面には爪車２３が一体的に形成されており、該爪車２３は、蓋格納部１５内に固設された軸２６に揺動可能に支承されるとともに付勢部材２５にてリール２４の回転を規制する方向に付勢された爪２７と咬合している。この爪２７と爪車２３とでラチェット機構が形成されている。このラチェット機構（一方向クラッチ）により、リール２４は蓋体１２が引き出される方向に回転することができ、その回転は、蓋体１２の引き出される方向への動きが停止すると、爪車２３と爪２７との咬合によりリール２４の巻き取る方向への回転が規制されて、蓋体１２は所望の長さだけ蓋格納部１５より引き出すことができる。
なお、蓋体１２をリール２４に巻き取るときには、蓋格納部１５の近傍に設けられたスイッチ２８を操作することにより、爪２７が爪車２３の歯と咬合しない位置まで回動するように操作され、コイルスプリング３７の付勢によりリール２４は巻き取り方向に回転し、蓋体１２を巻き取ることができる。
【００２４】
そして、前記蓋体１２は、浴槽１１の所望の位置まで展開し留めた状態保持することができる。
図２及び図６に示す如く、蓋体１２の引き出し側の辺には取手２１が設けられており、該取手２１内には、磁石２１ａが内装されている。そして、浴槽１１の周縁部には浴槽を囲むように磁石２１ａが磁着可能な金属部材２０が埋設されている。従って、取手２１の磁石２１ａが浴槽１１の周縁部の金属部材２０に磁着することによって、浴槽１１に取手２１が固定される。これにより、蓋体１２が浴槽１１に固定され、さらに、金属部材２０は浴槽１１の周縁部を包囲する状態に設けられているので所望の位置に取手２１を固定することができる。
従って、上述の蓋体１２及びリール２４の構成により、蓋体１２を所望の分量だけ蓋格納部１５より引き出して、浴槽１１上に展開し、浴槽１１に固定することができる。
【００２５】
上述の浴槽蓋装置１０を採用することによって、浴室の壁面１３に浴槽１１の蓋体１２を格納することができ、入浴時に蓋体１２が邪魔にならず、見た目がすっきりし、蓋体１２の展開や格納の操作も容易となる。
また、図２に示す如く、浴槽１１の周囲の壁面に手摺り３１を設ける場合にも、蓋体１２は手摺り３１と浴槽１１との間を移動するため、蓋体１２を開閉しても手摺り３１に当接することがない。
さらに、浴槽１１の蓋体１２の蓋格納部１５に強制的換気機構としてファン１６が設けられているため、蓋体１２に付着した水滴が乾燥しやすくなり、カビの発生を抑制することができる。
そして、所望の分量だけ蓋格納部１５より蓋体１２を引き出して浴槽１１上に展開し、固定することができるため、湯温の低下を抑制したいときや、蓋体１２に本を載せて読みたいとき等、浴槽１１に蓋体１２を所望の量だけ展開した状態で入浴することができる。
【図面の簡単な説明】
【００２６】
【図１】本発明の実施例に係る浴槽蓋装置の構成を示す側面断面図。
【図２】浴槽蓋装置を備えた浴室の様子を示す図。
【図３】扉体の着脱構造を示す図。
【図４】強制的換気機構の構成を示すブロック図。
【図５】強制的換気機構の自動モードの制御を示す流れ図。
【図６】蓋格納部の内部構造を示す側面断面図。
【符号の説明】
【００２７】
１０  浴槽蓋装置
１１  浴槽
１２  蓋体
１３  壁面
１４  扉体
１５  蓋格納部
１６  ファン
１７  モータ
２０  金属部材
２１ａ  磁石
【図１】
2005211447.tif 000003
【図２】
2005211447.tif 000004
【図３】
2005211447.tif 000005
【図４】
2005211447.tif 000006
【図５】
2005211447.tif 000007
【図６】
2005211447.tif 000008